(57)【要約】【課題】バンプ電極と基板側端子との間の接合強度を高めて導電接続状態の信頼性を向上した、電子部品の実装構造体を提供する。【解決手段】バンプ電極１２を有する電子部品１２１を、端子１１を有する基板１１１上に実装してなる電子部品の実装構造体である。バンプ電極１２は、内部樹脂１３をコアとしてその表面が導電膜１４で覆われた構造を有してなる。バンプ電極１２は、弾性変形して端子１１の少なくとも一つの角部１１ｃの形状に倣うことにより、端子１１の上面１１ａの少なくとも一部と端子１１の厚さ方向に対応する面（側面１１ｂ）の少なくとも一部とに、導電膜１４が直接導電接触している。基板１１１と電子部品１２１とには、バンプ電極１２が弾性変形して端子に導電接触している状態を保持する保持手段が備えられている。【選択図】図４
2010245558.tif 000002
【特許請求の範囲】
【請求項１】
バンプ電極を有する電子部品を、端子を有する基板上に実装してなる電子部品の実装構造体であって、
前記バンプ電極は、内部樹脂をコアとしてその表面が導電膜で覆われた構造を有してなり、かつ、該バンプ電極は、弾性変形して前記端子の少なくとも一つの角部形状に倣うことにより、前記端子の上面部の少なくとも一部と該端子の厚さ方向に対応する面の少なくとも一部とに、前記導電膜が直接導電接触してなり、
前記基板と前記電子部品とには、前記バンプ電極が弾性変形して前記端子に導電接触している状態を保持する保持手段が備えられていることを特徴とする電子部品の実装構造体。
【請求項２】
前記保持手段が、前記バンプ電極と前記端子との導電接触部分の周囲に充填され、硬化されてなる封止樹脂によって構成されていることを特徴とする請求項１記載の電子部品の実装構造体。
【請求項３】
前記電子部品には前記バンプ電極が複数設けられ、前記基板には前記端子が複数設けられてなり、
前記複数の端子は、その上面部の、前記電子部品における前記バンプ電極の形成面に対する距離が異なる少なくとも二つの端子を有し、
前記バンプ電極は、対応する前記の少なくとも二つの端子に対し、これら端子の上面部の前記電子部品における前記バンプ電極の形成面に対する距離に対応して、それぞれ異なる度合いで弾性変形していることを特徴とする請求項１又は２に記載の電子部品の実装構造体。
【請求項４】
前記バンプ電極は、前記端子の上面部全体に、前記導電膜が直接導電接触していることを特徴とする請求項１〜３のいずれか一項に記載の電子部品の実装構造体。
【請求項５】
前記バンプ電極は、前記端子の厚さ方向に対応する一つの面全体に、前記導電膜が直接導電接触していることを特徴とする請求項１〜４のいずれか一項に記載の電子部品の実装構造体。
【請求項６】
前記バンプ電極は、前記端子の厚さ方向に対応する全ての面に対して、前記導電膜がそれぞれの面の少なくとも一部に直接導電接触していることを特徴とする請求項１〜５のいずれか一項に記載の電子部品の実装構造体。
【請求項７】
前記バンプ電極は、少なくともその内部樹脂あるいは導電膜の一部が、導電接触する端子の周辺部の基板面に当接していることを特徴とする請求項１〜６のいずれか一項に記載の電子部品の実装構造体。
【請求項８】
前記バンプ電極は、少なくともその内部樹脂あるいは導電膜の一部が、導電接触する端子の周辺部の基板面を押圧して該基板面を凹ませた状態で、該基板面に当接していることを特徴とする請求項７に記載の電子部品の実装構造体。
【請求項９】
前記内部樹脂が、横断面を略半円形状、略半楕円形状、または略台形状とする略蒲鉾状に形成され、前記導電膜は、前記内部樹脂の前記横断面方向に沿ってその上面部上に帯状に設けられていることを特徴とする請求項１〜８のいずれか一項に記載の電子部品の実装構造体。
【請求項１０】
前記内部樹脂が略半球状または略円錐台状に形成され、前記導電膜は前記内部樹脂の上面を覆って設けられてことを特徴とする請求項１〜８のいずれか一項に記載の電子部品の実装構造体。
【発明の詳細な説明】
【技術分野】
【０００１】
本発明は、電子部品の実装構造体に関する。
【背景技術】
【０００２】
従来、各種の電子機器に搭載される回路基板や液晶表示装置などにおいては、半導体ＩＣなどの電子部品を基板上に実装する技術が用いられている。例えば液晶表示装置には、液晶パネルを駆動するための液晶駆動用ＩＣチップが実装される。この液晶駆動用ＩＣチップは、液晶パネルを構成するガラス基板に直接実装される場合もあり、また、液晶パネルに実装されるフレキシブル基板（ＦＰＣ）上に実装される場合もある。前者による実装構造はＣＯＧ（Chip On Glass）構造と呼ばれ、後者はＣＯＦ(Chip On FPC)構造と呼ばれている。なお、これら実装構造以外にも、例えばガラエポ基板などにＩＣチップを実装するＣＯＢ（Chip On board）構造も知られている。
【０００３】
このような実装構造に用いられる基板には、配線パターンに接続するランド（端子）が形成されており、一方、電子部品には、電気的接続を得るためのバンプ電極が形成されている。そして、前記ランドにバンプ電極を接続させた状態で、前記基板上に電子部品を実装することにより、電子部品の実装構造体が形成されている。
【０００４】
ところで、前記の実装構造体においては、基板上に電子部品がより強固にかつ確実に接続していることが望まれている。特に、ランドやバンプ電極がそれぞれ複数ずつあり、複数のランド−バンプ電極間をそれぞれ接続させる場合には、全てのランド−バンプ電極間が良好に接続していることが、信頼性を確保するうえで重要となっている。
ところが、一般にランドやバンプ電極は金属によって形成されており、したがって接合時に合わせずれが生じたり、あるいはランドやバンプ電極の位置精度が悪いことによってこれらの間で位置ずれが生じた場合に、これらランドとバンプ電極との間で十分な接合強度が得られず、接触不良（導電不良）を起こしてしまうおそれがあった。
また、基板やＩＣなどの電子部品の反りや、ランドとバンプ電極などの形成高さのばらつきによって、ランドとバンプ電極間の距離が一定でなくなり、これらランドとバンプ電極との間で十分な接合強度が得られず、接触不良（導電不良）を起こしてしまうおそれがあった。
【０００５】
このような不都合を防止するため、従来、台形状断面を有する導体パターンを有し、この導体パターン上に金属導電層を形成するとともに、この金属導電層の表面に多数の凹凸を付与したプリント配線板が提供されている（例えば、特許文献１参照）。
このプリント配線板によれば、前記の金属導電層表面の凹凸によるアンカー効果により、部品実装時に圧力がかかっても、部品（電子部品）の接続電極が基板の電極上を滑ったり、ずれ落ちて傾いたりしないため、実装歩留まりが向上するとされている。
【先行技術文献】
【特許文献】
【０００６】
【特許文献１】特開２００２−２６１４０７号公報
【発明の概要】
【発明が解決しようとする課題】
【０００７】
しかしながら、前記のプリント配線板にあっては、金属導電層表面の凹凸によるアンカー効果により、この金属導電層上に配置される接続電極（バンプ電極）が滑り落ちたりずれ落ちて傾いたりしないようになっているものの、これらの間の接合強度を高め、さらには複数の電極間での接合強度をも高める構造とはなっていない。したがって、接合時に合わせずれが生じたり、電極間（ランドとバンプ電極との間）の位置精度が悪いことに起因してこれらの間で位置ずれが生じた場合には、これら電極間で十分な接合強度が得られず、依然として接触不良（導電不良）を起こしてしまうおそれがある。また、接続電極（バンプ電極）が金属でできていたため、接続電極は接続時に塑性変形を起こし、前記のようにランドとバンプ電極間の距離が一定でなくなった場合に弾性変形による距離変化の吸収能力が低いため、これら電極間で十分な接合強度が得られず、依然として接触不良（導電不良）を起こしてしまうおそれもある。
【０００８】
本発明は前記事情に鑑みてなされたもので、その目的とするところは、バンプ電極と基板側端子との間の接合強度を高めて導電接続状態の信頼性を向上した、電子部品の実装構造体を提供することにある。
【課題を解決するための手段】
【０００９】
本発明の電子部品の実装構造体は、バンプ電極を有する電子部品を、端子を有する基板上に実装してなる電子部品の実装構造体であって、前記バンプ電極は、内部樹脂をコアとしてその表面が導電膜で覆われた構造を有してなり、かつ、該バンプ電極は、弾性変形して前記端子の少なくとも一つの角部形状に倣うことにより、前記端子の上面部の少なくとも一部と該端子の厚さ方向に対応する面の少なくとも一部とに、前記導電膜が直接導電接触してなり、前記基板と前記電子部品とには、前記バンプ電極が弾性変形して前記端子に導電接触している状態を保持する保持手段が備えられていることを特徴としている。
【００１０】
この電子部品の実装構造体によれば、バンプ電極は内部樹脂をコアとしているので、基板上の端子に対して加圧されることで容易に押圧されて弾性変形（圧縮変形）状態となる。このように弾性変形しながら端子に接合することで、例えばバンプ電極と端子との間に位置ずれが生じ、バンプ電極が端子の角部上に接合していても、バンプ電極は前記端子の形状に倣うことにより、前記端子の上面部の少なくとも一部と該端子の厚さ方向に対応する面の少なくとも一部とに、前記導電膜が直接導電接触するようになる。したがって、この導電接触状態が保持手段によって保持されていることにより、バンプ電極の導電膜と端子との間で十分な接触面積が確保され、良好な導電接続状態となる。
また、バンプ電極はその内部樹脂の弾性変形によって基板の端子に対し弾性復元力（反発力）を生じていることから、バンプ電極と端子との間の接合強度がより高くなり、導電接続状態の信頼性が向上する。特に、バンプ電極が端子の少なくとも一つの角部形状に倣って弾性変形しているので、内部樹脂の弾性復元力が前記の角部を挟み込むように作用することから、前記したようにバンプ電極と端子との間の接合強度がより高くなる。
【００１１】
また、前記電子部品の実装構造体においては、前記保持手段が、前記バンプ電極と前記端子との導電接触部分の周囲に充填され、硬化されてなる封止樹脂によって構成されているのが好ましい。
このようにすれば、弾性変形してなるバンプ電極と端子との間の導電接触状態がより良好に確保され、バンプ電極の導電膜と端子との間の導電接続状態がより良好になる。
【００１２】
また、前記電子部品の実装構造体においては、前記電子部品には前記バンプ電極が複数設けられ、前記基板には前記端子が複数設けられてなり、前記複数の端子は、その上面部の、前記電子部品における前記バンプ電極の形成面に対する距離が異なる少なくとも二つの端子を有し、前記バンプ電極は、対応する前記の少なくとも二つの端子に対し、これら端子の上面部の前記電子部品における前記バンプ電極の形成面に対する距離に対応して、それぞれ異なる度合いで弾性変形していてもよい。
基板上に端子が複数形成され、電子部品に複数のバンプ電極が形成されている場合に、例えば基板のゆがみなどによって各端子の接合面の高さ（レベル）にバラツキが生じていることがある。すると、前記複数の端子は、その上面部の、前記電子部品における前記バンプ電極の形成面に対する距離が異なる端子を有することになる。また、同様に電子部品側でも、バンプ電極の接合面の高さにバラツキが生じていることがある。
そして、このように端子間で高さバラツキがある基板と、同様にバンプ電極間で高さバラツキが電子部品とを、複数のバンプ電極−端子間で接続させようとすると、これらバンプ電極と端子とは接合前においてその間の距離にばらつきがあることから、全てのバンプ電極−端子間を良好な強度で接続するのが難しくなる。
【００１３】
しかし、本発明の実装構造体にあっては、バンプ電極が、前記端子の上面部の前記電子部品における前記バンプ電極の形成面に対する距離に対応して、それぞれ異なる度合いで弾性変形しているので、前記のバンプ電極と端子との間の距離のばらつきがバンプ電極の弾性変形によって吸収される。よって、前記の基板と電子部品とは、高さ（レベル）にバラツキがある端子やバンプ電極を有しているにも拘わらず、これらバンプ電極と端子との間でそれぞれに良好な接合強度が得られる。したがって、この実装構造体によれば、各接続部における導電接続状態の信頼性が向上するとともに、基板に対する電子部品の実装強度も向上したものとなる。
【００１４】
また、前記電子部品の実装構造体においては、前記バンプ電極が、前記端子の上面部全体に、前記導電膜が直接導電接触しているのが好ましい。
端子の上面部全体にバンプ電極の導電膜が直接導電接触しているので、導電膜は端子の上面部全体と該端子の厚さ方向に対応する面の少なくとも一部とに直接導電接触するようになる。したがって、バンプ電極の導電膜と端子との間で大きな接触面積が確保され、良好な導電接続状態になるとともに、バンプ電極と端子との間の接合強度がより高くなり、導電接続状態の信頼性が向上する。
【００１５】
また、前記電子部品の実装構造体においては、前記バンプ電極は、前記端子の厚さ方向に対応する一つの面全体に、前記導電膜が直接導電接触しているのが好ましい。
端子の厚さ方向に対応する一つの面全体にバンプ電極の導電膜が直接導電接触しているので、導電膜は端子の上面部の少なくとも一部と該端子の厚さ方向に対応する一つの面全体に直接導電接触するようになる。したがって、バンプ電極の導電膜と端子との間で大きな接触面積が確保され、良好な導電接続状態となるとともに、バンプ電極と端子との間の接合強度がより高くなり、導電接続状態の信頼性が向上する。
【００１６】
また、前記電子部品の実装構造体においては、前記バンプ電極は、前記端子の厚さ方向に対応する全ての面に対して、前記導電膜がそれぞれの面の少なくとも一部に直接導電接触しているのが好ましい。
端子の厚さ方向に対応する全ての面に対して、バンプ電極の導電膜が直接導電接触しているので、導電膜は端子の上面部の少なくとも一部と該端子の厚さ方向に対応する全ての面に直接導電接触するようになる。したがって、バンプ電極の導電膜と端子との間でより大きな接触面積が確保され、良好な導電接続状態となるとともに、バンプ電極と端子との間の接合強度がより高くなり、導電接続状態の信頼性が向上する。
【００１７】
また、前記電子部品の実装構造体においては、前記バンプ電極は、少なくともその内部樹脂あるいは導電膜の一部が、導電接触する端子の周辺部の基板面に当接しているのが好ましい。
バンプ電極や端子に高さのバラツキがあり、したがってこれらバンプ電極と端子とが接合前においてその間の距離にばらつきがあっても、接合後、前記バンプ電極が端子の周辺部の基板面に当接しているので、バンプ電極の内部樹脂内には圧縮率（弾性変形率）が異なる場所が連続的に存在するようになる。そのため、バンプ電極はその内部に、端子に対して最適な接続力（圧縮率）を有する場所が存在するようになり、したがってバンプ電極と端子との間の接合（接着）信頼性が向上する。
また、特に内部樹脂が基板面に当接している場合、この基板面に当接している内部樹脂を挟んで隣り合う端子間においては、電流のリーク（マイグレーション）が前記内部樹脂によって抑制される。
【００１８】
また、前記電子部品の実装構造体においては、前記バンプ電極は、少なくともその内部樹脂あるいは導電膜の一部が、導電接触する端子の周辺部の基板面を押圧して該基板面を凹ませた状態で、該基板面に当接しているのが好ましい。
バンプ電極が端子の周辺部の基板面を凹ませた状態で該基板面に当接しているので、アンカー効果によってバンプ電極と端子との間の接合（接着）強度がより一層高くなり、したがって、例えば熱サイクル試験によってバンプ電極と端子との間に剥離力が発生しても、これに抗して良好な導電接続状態が確保される。
また、前記したようにバンプ電極と端子との間の接合（接着）信頼性が向上し、さらに、隣り合う端子間において電流のリーク（マイグレーション）が抑制される。
【００１９】
また、前記電子部品の実装構造体においては、前記内部樹脂が、横断面を略半円形状、略半楕円形状、または略台形状とする略蒲鉾状に形成され、前記導電膜は、前記内部樹脂の前記横断面方向に沿ってその上面部上に帯状に設けられていてもよい。
このようにすれば、内部樹脂の上面上に間隔をおいて導電膜を複数設けることにより、複数のバンプ電極を形成することができ、製造が容易になる。
【００２０】
また、前記電子部品の実装構造体においては、前記内部樹脂が略半球状または略円錐台状に形成され、前記導電膜は前記内部樹脂の上面を覆って設けられていてもよい。
このようにすれば、バンプ電極はその中心から全ての方向にほぼ同じに湾曲しているので、端子との間でどの方向に位置ずれが生じていても、端子に対してほぼ同じ状態で、その角部形状に倣うようになる。したがって、端子との間で安定した導電接続状態が確保される。
【図面の簡単な説明】
【００２１】
【図１】本発明が適用された液晶表示装置の構造を模式的に示す概略斜視図である。
【図２】（ａ）（ｂ）は本発明に係る実装構造体の要部拡大図である。
【図３】（ａ）（ｂ）はバンプ電極の概略構成を示す側断面図である。
【図４】（ａ）〜（ｄ）は第１実施形態の実装構造体を説明するための図である。
【図５】（ａ）（ｂ）は端子の構造を説明するための平面拡大図である。
【図６】第２実施形態の実装構造体を説明するための図である。
【図７】第２実施形態の実装構造体の変形例を説明するための図である。
【図８】第３実施形態の実装構造体を説明するための図である。
【図９】第３実施形態の実装構造体の変形例を説明するための図である。
【図１０】第３実施形態の実装構造体の変形例を説明するための図である。
【図１１】バンプ電極の概略構成を示す斜視図である。
【発明を実施するための形態】
【００２２】
以下、本発明の電子部品の実装構造体を詳しく説明する。
図１は本発明に係る電子部品の実装構造体を適用した液晶表示装置を示す模式図である。まず、図１を用いて本発明に係る電子部品の実装構造体の適用例を説明する。
図１において符号１００は液晶表示装置であり、この液晶表示装置１００は、液晶パネル１１０と、電子部品（液晶駆動用ＩＣチップ）１２１とを有して構成されている。なお、この液晶表示装置１００には、図示しないものの、偏光板、反射シート、バックライト等の付帯部材が、必要に応じて適宜設けられるものとする。
【００２３】
液晶パネル１１０は、ガラスや合成樹脂からなる基板１１１及び１１２を備えて構成されたものである。基板１１１と基板１１２とは、相互に対向配置され、図示しないシール材などによって相互に貼り合わされている。基板１１１と基板１１２の間には、電気光学物質である液晶（図示せず）が封入されている。基板１１１の内面上には、ＩＴＯ（Indium Tin Oxide）などの透明導電材料からなる電極１１１ａが形成され、基板１１２の内面上には前記電極１１１ａに対向配置される電極１１２ａが形成されている。
【００２４】
電極１１１ａは、同じ材質で一体に形成された配線１１１ｂに接続されて、基板１１１に設けられた基板張出部１１１Ｔの内面上に引き出されている。基板張出部１１１Ｔは、基板１１１の端部において基板１１２の外形よりも外側に張り出された部分である。配線１１１ｂの一端側は、端子１１１ｂｘとなっている。電極１１２ａも、同じ材質で一体に形成された配線１１２ｂに接続されて、図示しない上下導通部を介して基板１１１上の配線１１１ｃに導電接続されている。この配線１１１ｃも、ＩＴＯで形成されている。配線１１１ｃは基板張出部１１１Ｔ上に引き出され、その一端側は端子１１１ｃｘとなっている。基板張出部１１１Ｔの端縁近傍には入力配線１１１ｄが形成されており、その一端側は端子１１１ｄｘとなっている。該端子１１１ｄｘは、前記端子１１１ｂｘ及び１１１ｃｘと対向配置されている。また、入力配線１１１ｄの他端側は、入力端子１１１ｄｙとなっている。
【００２５】
基板張出部１１１Ｔ上には、熱硬化性樹脂からなる封止樹脂１２２を介して、本発明に係る電子部品１２１が実装されている。この電子部品１２１は、例えば液晶パネル１１０を駆動する液晶駆動用ＩＣチップである。電子部品１２１の下面には、本発明に係る多数のバンプ電極（図示せず）が形成されており、これらのバンプ電極は、基板張出部１１１Ｔ上の端子１１１ｂｘ，１１１ｃｘ，１１１ｄｘにそれぞれ導電接続されている。これにより、基板１１１上に電子部品１２１が実装されてなる、本発明の実装構造体が形成されている。
【００２６】
また、基板張出部１１１Ｔ上の前記入力端子１１１ｄｙの配列領域には、異方性導電膜１２４を介してフレキシブル配線基板１２３が実装されている。入力端子１１１ｄｙは、フレキシブル配線基板１２３に設けられた、それぞれに対応する配線（図示せず）に導電接続されている。そして、このフレキシブル配線基板１２３を介して外部から制御信号、映像信号、電源電位などが、入力端子１１１ｄｙに供給されるようになっている。入力端子１１１ｄｙに供給された制御信号、映像信号、電源電位などは、電子部品１２１に入力され、ここで液晶駆動用の駆動信号が生成されて液晶パネル１１０に供給されるようになっている。フレキシブル基板は、ポリイミドや液晶ポリマー等可撓性を有する有機基板であり、その基板上に銅やアルミニウムで回路パターンおよび端子が形成されていることが多く好ましいが、必ずしもその限りではない。端子部には表面に金メッキが施されていると接続抵抗が安定するので、なお良い。
【００２７】
以上のように構成された液晶表示装置１００によれば、電子部品１２１を介して電極１１１ａと電極１１２ａとの間に適宜の電圧が印加されることにより、両電極１１１ａ，１１２ａが対向配置される部分に構成される各画素毎に独立して光を変調させることができ、これによって液晶パネル１１０の表示領域に所望の画像を形成することができる。
【００２８】
次に、前記液晶表示装置１００に適用された、本発明の電子部品の実装構造体の実施形態について説明する。
図２（ａ）は、前記液晶表示装置１００における電子部品１２１の実装構造体を拡大して示す要部拡大斜視図であり、図２（ｂ）は、図２（ａ）におけるＡ−Ａ線矢視断面図である。図２（ａ）（ｂ）において符号１１Ｐは基板１１１上に設けられた配線パターン、すなわち、前記配線１１１ｂ、１１１ｃ、１１１ｄのいずれかを表しており、符号１１はこれら配線に設けられた端子、すなわち、前記した端子１１１ｂｘ、１１１ｃｘ，１１１ｄｘのいずれかを表している。なお、本実施形態では、端子１１は比較的膜厚が厚く、したがって高く形成されており、また、その横断面が略台形状になっている。また、符号１２は電子部品１２１に設けられたバンプ電極である。なお、図２（ａ）では図示を省略しているものの、図２（ｂ）に示すように基板１１１と電子部品１２１との間には、少なくともバンプ電極１２と端子１１との導電接触部分の周囲を覆って、封止樹脂１２２が充填配置され、硬化させられている。封止樹脂１２２は、エポキシ樹脂やアクリル樹脂、フェノール樹脂であることが好ましいが、樹脂であればよく、樹脂種類はその限りではない。
【００２９】
バンプ電極１２は、本実施形態では、図２（ａ）及び図３（ａ）（ｂ）の側断面図に示すように、電子部品１２１上に設けられた略蒲鉾状の内部樹脂１３をコアとして、その表面が導電膜１４で覆われた構造を有したものである。導電膜１４は、図３（ａ）（ｂ）に示すように、電子部品１２１の表面部において絶縁膜１５の開口部内に露出した電極１６に接続・導通し、内部樹脂１３上に引き回されたものである。このような構成によって内部樹脂１３の表面を覆う導電膜１４は、前記電極１６に導通し、したがって実質的に電子部品１２１の電極として機能するものとなっている。なお、本実施形態では、図２（ａ）に示したように内部樹脂１３の表面に帯状の導電膜１４が複数設けられており、これら導電膜１４はそれぞれ独立して電子部品１２１の電極１６に接続・導通している。したがって、これら導電膜１４は、その内側に位置する内部樹脂１３とともに、それぞれが独立して、本発明におけるバンプ電極１２として機能するようになっている。
【００３０】
ここで、前記の略蒲鉾状とは、電子部品１２１に接する内面（底面）が平面であり、接しない外面側が湾曲面になっている柱状形状をいう。具体的には、図３（ａ）に示したように横断面が略半円形状であったり、図示しないものの略半楕円形状であるものや、図３（ｂ）に示したように横断面が略台形状であるものが好適に用いられる。なお、図３（ｂ）に示した横断面が略台形状のものは、この横断面形状において少なくともその上面と側面との間の肩部が湾曲しており、これによって前記したように、電子部品１２１に接しない外面側が湾曲面となっている。
【００３１】
内部樹脂１３は、感光性絶縁樹脂や熱硬化性絶縁樹脂からなるもので、具体的には、ポリイミド樹脂やアクリル樹脂、フェノール樹脂、シリコーン樹脂、シリコーン変性ポリイミド樹脂、エポキシ樹脂等によって形成されたものである。このような樹脂からなる内部樹脂１３は、公知のリソグラーフィー技術やエッチング技術により、前記した略蒲鉾状に形成されている。なお、樹脂の材質（硬度）や略蒲鉾状についての細部における形状（高さや幅）等については、後述するように端子１１の形状や大きさ等によって適宜に選択・設計される。
【００３２】
導電膜１４は、Ａｕ、ＴｉＷ、Ｃｕ、Ｃｒ、Ｎｉ、Ｔｉ、Ｗ、ＮｉＶ、Ａｌ、Ｐｄ、鉛フリーハンダ等の金属や合金からなるもので、これら金属（合金）の単層であっても、複数種を積層したものであってもよい。また、このような導電膜１４は、スパッタ法等の公知の成膜法で成膜し、その後帯状にパターニングしたものであってもよく、無電解メッキによって選択的に形成したものであってもよい。または、スパッタ法や無電解メッキによって下地膜を形成し、その後電解メッキによって下地膜上に上層膜を形成し、これら下地膜と上層膜とからなる積層膜により、導電膜１４を形成してもよい。なお、金属（合金）の種類や層構造、膜厚、幅等については、前記内部樹脂１３の場合と同様に、端子１１の形状や大きさ等によって適宜に選択・設計される。ただし、後述するように導電膜１４は、端子１１の角部形状に倣って弾性変形することから、特に展延性に優れた金（Ａｕ）を用いるのが好ましい。また、積層膜によって導電膜１４を形成する場合には、その最外層に金を用いるのが好ましい。さらに、導電膜１４の幅については、接合する端子１１の幅よりも十分に広く形成しておくのが好ましい。
【００３３】
図４（ａ）は電子部品１２１を基板１１１に実装する前の状態を示す図であり、図２（ｂ）の要部に対応する要部拡大断面図である。基板１１１と電子部品１２１とは、互いの端子１１とバンプ電極１２とが対向するように位置決めされ、その状態で互いに接合する方向に加圧されることにより、図４（ｂ）（ｃ）に示したようにバンプ電極１２の導電膜１４が端子１１に接合し導電接触する。そして、このように導電膜１４と端子１１とが導電接触した状態で、すなわち、所定の圧力で加圧した状態のもとで、本発明における保持手段としての前記封止樹脂１２２（図２（ｂ）参照）が基板１１１と電子部品１２１との間に充填配置され、硬化させられる。これにより、本発明の第１実施形態となる実装構造体１０が得られる。なお、保持手段としての封止樹脂１２２については、予め基板１１１と電子部品１２１との間に未硬化状態（または半硬化状態）で設けておき、導電膜１４と端子１１とを導電接触させた後、硬化させてもよく、また、導電膜１４と端子１１とを導電接触させた後、基板１１１と電子部品１２１との間に未硬化の封止樹脂１２２を充填し、その後硬化させてもよい。
【００３４】
このようにして形成された本発明の第１実施形態となる実装構造体１０は、電子部品１２１が基板１１１側に相対的に加圧され、これによってバンプ電極１２が端子１１に当接させられ、さらにその状態で加圧されていることにより、バンプ電極１２は、所望の形態に弾性変形（圧縮変形）している。すなわち、バンプ電極１２はそのコアとなる内部樹脂１３が金属からなる端子１１に比べて十分に軟らかいため、加圧されたことで弾性変形し圧縮される。その際、内部樹脂１３とその上の導電膜１４とは、端子１１より幅広に形成されていることから、端子１１の外側（側面側）にはみ出し、該端子１１の全ての角部形状に倣う形状となる。
【００３５】
すなわち、バンプ電極１２は主に内部樹脂の弾性変形によって端子１１の全ての角部形状に倣い、これによって導電膜１４は、端子１１の上面部の少なくとも一部と該端子１１の厚さ方向に対応する全ての面に直接導電接触するようになる。ここで、端子１１の厚さ方向に対応する面とは、図４（ｂ）の拡大図である図４（ｄ）において、端子１１の上面１１ａの両側に位置する側面１１ｂを指し、また、角部とは上面１１ａと側面１１ｂとが交わることでなす角部１１ｃを指す。なお、本実施形態では端子１１の横断面形状を略台形状にしたが、矩形状であってもよい。また、その厚さ（高さ）についても、厚い（高い）ものに限らず、比較的薄い（低い）ものであってもよい。
【００３６】
また、基板１１１の端子１１については、平面拡大図である図５（ａ）に示すように、配線パターン１１Ｐの端部であってもよく、その場合には、図５（ａ）中に斜線で示すように、配線パターン１１Ｐの端縁から予め設定された長さ分の領域が、本発明における端子１１となる。また、平面拡大図である図５（ｂ）に示すように、配線パターン１１Ｐの端部にて該配線パターン１１Ｐより幅広に形成されたランド、すなわち図５（ｂ）中に斜線で示す領域が、本発明における端子１１となっていてもよい。そして、図４（ｄ）に示した実装構造体１０では、バンプ電極１２の導電膜１４が、端子１１の上面、すなわち図５（ａ）（ｂ）において斜線で示した領域の全面（全体）に、直接導電接触している。
【００３７】
また、バンプ電極１２は、弾性変形によって端子１１の全ての角部形状に倣うことにより、前記したように導電膜１４が端子１１の側面１１ｂの一部にも直接導電接触している。なお、端子１１が図５（ａ）に示した形状の場合では、配線パターン１１Ｐの端縁となる端子１１の外側面１１ｄの一部にも、導電膜１４が直接導電接触している。また、端子１１が図５（ｂ）に示した形状の場合では、端子１１の外側面１１ｄに加え、これと反対側の内側面１１ｅの一部にも、導電膜１４が直接導電接触している。
【００３８】
ここで、図４（ｄ）では、導電膜１４が側面１１ｂのほぼ上半分に接しているように示したが、側面１１ｂの上端部のみに接していてもよい。また、前記した外側面１１ｄや内側面１１ｅの上端部のみに接していてもよい。すなわち、本発明の実装構造体では、端子１１の角部形状に倣うことにより、導電膜１４が端子１１の側面１１ｂや外側面１１ｄ、内側面１１ｅの一部のみに接していればよい。換言すれば、バンプ電極１２は、弾性変形によって端子１１の角部形状に倣うことにより、導電膜１４が端子１１の側面１１ｂや外側面１１ｄ、内側面１１ｅの少なくとも一部に接するようになるのである。
【００３９】
このような実装構造体１０にあっては、バンプ電極１２が端子１１の形状に倣うことにより、端子１１の上面１１ａ全体と側面１１ｂ及び外側面１１ｄ、内側面１１ｅの一部とに導電膜１４が直接導電接触しており、さらにこの導電接触状態が、封止樹脂１２２によって保持されている。したがって、導電膜１４と端子１１との間で十分な接触面積が確保され、これら導電膜１４と端子１１との間が良好な導電接続状態となっている。また、バンプ電極１２がその内部樹脂１３の弾性変形によって端子１１に対し弾性復元力（反発力）を生じていることから、バンプ電極１３と端子との間の接合強度がより高くなり、導電接続状態の信頼性が向上している。特に、バンプ電極１２が端子１１の複数の角部１１ｃの形状に倣って弾性変形しているので、内部樹脂１３の復元力が前記の角部１１ｃをそれぞれ挟み込むように作用することから、前記したようにバンプ電極１２と端子１１との間の接合強度がより高くなっている。したがって、本実施形態の実装構造体１０は、バンプ電極１２と基板側の端子１１との間の接合強度が十分に高められて導電接続状態の信頼性が向上した、極めて優れたものとなる。
【００４０】
図６は、本発明の電子部品の実装構造体の第２の実施形態を示す図である。この第２実施形態が図４（ｄ）に示した第１実施形態と異なるところは、バンプ電極１２の導電膜１４が、端子１１の両側の角部１１ｃに倣うことなく、片側の角部１１ｃにのみ倣っている点である。
近年、電子部品の実装構造においては、小型化、高集積化が益々進められており、配線間のピッチや配線幅も益々狭小化が進められている。したがって、従来では、製造時にバンプ電極や端子に位置ずれが生じていたり、基板と電子部品との間で合わせずれが生じると、これらバンプ電極と端子との間で十分な接合強度が得られず、接触不良（導電不良）を起こしてしまうおそれがあった。
そこで、この第２実施形態の実装構造体では、このような位置ずれや合わせずれが生じた場合にも、接触不良を防止した構造となっている。
【００４１】
すなわち、図６に示した実装構造体２０では、位置ずれや合わせずれによって、端子１１の幅方向、つまり図５（ａ）（ｂ）における配線パターン１１Ｐの幅方向に、バンプ電極１２がずれている。したがって、導電膜１４が端子１１の上面１１ａに対し、その全面に直接接触することなく、一方の側面１１ｂ側にしか接していない状態となっている。しかしながら、このように位置ずれが生じていても、本実施形態の実装構造体２０では、前記したように端子１１の片側の角部１１ｃに倣っていることから、端子１１の上面１１ａの一部と少なくとも一方の側面１１ｂの一部とに導電膜１４が直接導電接触しており、さらにこの導電接触状態が、封止樹脂１２２（図示せず）によって保持されている。
【００４２】
したがって、導電膜１４と端子１１との間で十分な接触面積が確保され、これら導電膜１４と端子１１との間が良好な導電接続状態となっている。また、バンプ電極１２がその内部樹脂１３の弾性変形によって端子１１に対し弾性復元力（反発力）を生じていることから、バンプ電極１３と端子との間の接合強度がより高くなり、導電接続状態の信頼性が向上している。また、内部樹脂１３の復元力が一方の角部１１ｃを挟み込むように作用することから、前記したようにバンプ電極１２と端子１１との間の接合強度がより高くなっている。
よって、このように位置ずれや合わせずれが生じて形成された実装構造体２０にあっても、バンプ電極１２と基板側の端子１１との間の接合強度が十分に高められて導電接続状態の信頼性が向上し、接触不良が防止された、優れたものとなる。
【００４３】
なお、内部樹脂１３の特性、特にその硬度や弾性変形性（圧縮性）については、樹脂の種類や配合、加工条件等によって適宜に変えることができる。また、実装時におけるバンプ電極１２の弾性変形についても、基板１１１と電子部品１２１との間の加圧条件等によってその度合いを適宜に変えることができる。そこで、前記第２実施形態では、その変形例として、特にバンプ電極１２の弾性変形（圧縮）の度合いを高め、図７に示すように接する側面１１ｂに対し、その全面に導電膜１４を当接させるようにしてもよい。
このようにすれば、バンプ電極１２の導電膜１４と端子１１との間でより大きな接触面積を確保することができ、これによってより良好な導電接続状態を得ることができる。また、バンプ電極１２と端子１１との間の接合強度をより高くし、導電接続状態の信頼性を向上することができる。
【００４４】
図８は、本発明の電子部品の実装構造体の第３の実施形態を示す図である。この第３実施形態が図４（ｄ）に示した第１実施形態と異なるところは、電子部品１２１にバンプ電極１２が複数設けられ、基板１１１にも端子１１が複数設けられており、複数のバンプ電極１２−端子１１間で接合（接続）がなされている点と、特に端子１１の高さレベルが不揃いになっている点である。
【００４５】
基板１１１上に端子１１が複数形成されている場合、例えば基板１１１のゆがみなどにより、各端子１１のバンプ電極１２に対する接合面（上面）の高さ（レベル）にバラツキが生じてしまうことがある。すると、これら複数の端子１１は、その上面（接合面）が、電子部品１２１におけるバンプ電極１２の形成面に対して異なる距離を有することになる。なお、同様に電子部品１２１側でも、バンプ電極１２の接合面の高さにバラツキが生じていることがある。
このように端子１１間で高さバラツキがある基板１１１と、同様にバンプ電極１２間で高さバラツキが電子部品１２１とを、複数のバンプ電極１２−端子１１間で接続させようとすると、これらバンプ電極１２と端子１１とは接合前においてその間の距離にばらつきがあることから、全てのバンプ電極１２−端子１１間を良好な強度で接続するのが難しくなる。
【００４６】
しかし、図８に示した本実施形態の実装構造体３０にあっては、例えば基板１１１のゆがみによって端子１１Ａと端子１１Ｂとの高さが異なり、したがって端子１１Ａの上面１１ａから電子部品１２１におけるバンプ電極１２の形成面までの距離Ｌ１と、端子１１Ｂの上面１１ａからバンプ電極１２の形成面までの距離Ｌ２とが異なっていても、これら端子１１Ａ−バンプ電極１２間と端子１１Ｂ−バンプ電極１２間とが、いずれも良好に接合（接続）したものとなっている。
【００４７】
すなわち、この実装構造体３０では、内部樹脂１３を有する各バンプ電極１２が、接合する端子１１の前記距離Ｌ１あるいは距離Ｌ２に対応して、それぞれ異なる度合いで弾性変形するので、前記距離Ｌ１と距離Ｌ２との差、すなわちバンプ電極１２と端子１１との間の距離のばらつきが、バンプ電極１２の弾性変形によって吸収されている。よって、基板１１１と電子部品１２１とは、端子１１に高さ（レベル）のバラツキがあっても、また、バンプ電極１２側に高さレベルのバラツキがあっても、これらバラツキをバンプ電極１２の弾性変形で吸収し、複数のバンプ電極１２と端子１１との間でそれぞれに良好な接合強度を得ることができる。
【００４８】
なお、このように複数の端子１１−バンプ電極１２間で接合（接続）がなされる場合では、バンプ電極１２の弾性変形（圧縮）の度合いをより高めておくのが好ましい。すなわち、内部樹脂１３そのものの弾性変形性（圧縮性）を高め、及び／又は、実装時における基板１１１と電子部品１２１との間の加圧力を高めることにより、図９に示す実装構造体４０のように、バンプ電極１２の一部を、導電接触する端子１１の周辺部の基板１１１の表面に当接させておくのが好ましい。ここで、バンプ電極１２とは、導電膜１４及びこれに覆われる内部樹脂１３のみからでなく、導電膜１４の近傍に位置する内部樹脂１３、すなわち導電膜１４に覆われることなく露出した内部樹脂１３をも含んでいる。
【００４９】
このような実装構造体４０にあっては、前述したように端子１１やバンプ電極１２に高さのバラツキがあり、したがってこれら端子１１とバンプ電極１２とが接合前においてその間の距離にばらつきがあっても、接合後、前記バンプ電極１２が端子１１の周辺部の基板１１１の表面に当接しているので、前記のバラツキがバンプ電極１２の弾性変形で確実に吸収され、複数のバンプ電極１２と端子１１との間でそれぞれに良好な接合強度が得られる。また、バンプ電極１２の内部樹脂１３内には圧縮率（弾性変形率）が異なる場所が連続的に存在するようになるため、バンプ電極１２はその内部に、端子１１に対して最適な接続力（圧縮率）を有する場所が存在するようになる。したがって、バンプ電極１２と端子１１との間の接合（接着）信頼性が向上する。
また、導電膜１４の近傍に位置する内部樹脂１３が基板１１１の表面に当接しているので、この基板１１１の表面に当接している内部樹脂１３を挟んで隣り合う端子１１Ａ、１１Ｂ間においては、電流のリーク（マイグレーション）が絶縁性の内部樹脂１３によって抑制される。
【００５０】
また、複数の端子１１−バンプ電極１２間で接合（接続）がなされる場合では、前記内部樹脂１３そのものの弾性変形性（圧縮性）と実装時における基板１１１と電子部品１２１との間の加圧力とを調整しておくことにより、図１０に示す実装構造体５０のように、バンプ電極１２の一部が、導電接触する端子１１の周辺部の基板１１１の表面を押圧して該基板１１１の表面を凹ませた状態で、該基板１１１の表面に当接しているように構成するのが好ましい。
【００５１】
このような実装構造体５０にあっても、端子１１やバンプ電極１２に高さのバラツキがある場合に、バンプ電極１２が端子１１の周辺部の基板１１１の表面に当接してこれを押圧しているので、前記のバラツキがバンプ電極１２の弾性変形で確実に吸収され、複数のバンプ電極１２と端子１１との間でそれぞれに良好な接合強度が得られる。
また、バンプ電極１２が、端子１１の周辺部の基板１１１の表面を凹ませた状態で当接しているので、アンカー効果によってバンプ電極１２と端子１１との間の接合（接着）強度がより一層高くなる。したがって、例えば熱サイクル試験によってバンプ電極１２と端子１１との間に剥離力が発生しても、これに抗して良好な導電接続状態が確保される。
また、導電膜１４の近傍に位置する内部樹脂１３が基板１１１の表面に当接しているので、この基板１１１の表面に当接している内部樹脂１３を挟んで隣り合う端子１１、１１間においては、電流のリーク（マイグレーション）が絶縁性の内部樹脂１３によって抑制される。
【００５２】
なお、本発明は前記実施形態に限定されることなく、本発明の要旨を逸脱しない範囲で種々の変更が可能である。例えば、バンプ電極の構造としては、図２（ａ）、図３（ａ）（ｂ）に示したように内部樹脂が略蒲鉾状に形成されたものでなく、図１１に示すように、内部樹脂１７が略半球状に形成され、導電膜１８が、前記内部樹脂１７の上面全体を覆い、かつ電子部品の電極１６に導通した状態で設けられた構造であってもよい。
このような構造を採用すれば、このバンプ電極は内部樹脂１７の中心から全ての方向にほぼ同じ曲率で湾曲しているので、端子１１との間でどの方向に位置ずれが生じていても、端子１１に対してほぼ同じ状態で、その角部形状に倣うようになる。したがって、端子１１との間で安定した導電接続状態を確保することができる。なお、内部樹脂１７としては、略半球状でなく略円錐台状としてもよい。また、導電膜１８は、略半球状や略円錐台状の内部樹脂１７に対し、その上面全体を覆うことなく、その一部のみを覆って設けられていてもよい。
【００５３】
また、前記実施形態では、本発明における保持手段として封止樹脂１２２を用いているが、ネジやクリップ、あるいは嵌合による結合など、各種の機械的圧着手段によって本発明の保持手段を構成してもよい。また、接着剤（樹脂）を用いた場合にも、バンプ電極１２と端子１１との導電接触部分の周囲に充填配置することなく、例えば電子部品の外周部と基板との間にのみ、選択的に配するようにしてもよい。
【００５４】
また、前記の基板１１１についても、前記したガラスや合成樹脂からなる基板以外に、リジット基板やシリコン基板、薄厚のセラミックス基板など種々のものが使用可能である。さらに、電子部品としては、液晶駆動用ＩＣチップ以外に各種のＩＣや、ダイオード、トランジスター、発光ダイオード、レーザーダイオード、発信子、コンデンサなどの受動部品など前述したような接続電極（バンプ電極）を有する電子部品であればなんでも構わない。
また、本発明の電子部品の実装構造体が適用される装置としては、前記した液晶表示装置だけではなく、有機エレクトロルミネッセンス装置（有機ＥＬ装置）や、プラズマディスプレイ装置、電気泳動ディスプレイ装置、電子放出素子を用いた装置（Field Emission Display 及び Surface-Conduction Electron-Emitter Display 等）など、各種の電気光学装置や各種の電子モジュールに適用可能である。
【符号の説明】
【００５５】
１０，２０，３０，４０，５０…実装構造体（電子部品の実装構造体）、１１…端子、１１ａ…上面、１１ｂ…側面、１１ｃ…角部、１１ｄ…外側面、１１ｅ…内側面、１１Ｐ…配線パターン、１２…バンプ電極、１３，１７…内部樹脂、１４，１８…導電膜、１００…液晶表示装置、１１０…液晶パネル、１１１…基板、１１１ａ，１１２ａ…電極、１１１ｂ，１１２ｂ，１１１ｃ…配線、１１１ｄ…入力配線、１１１ｂｘ，１１１ｃｘ，１１１ｄｘ…端子、１２１…電子部品（ＩＣチップ）、１２２…封止樹脂（保持手段）。
【図１】
2010245558.tif 000003
【図２】
2010245558.tif 000004
【図３】
2010245558.tif 000005
【図４】
2010245558.tif 000006
【図５】
2010245558.tif 000007
【図６】
2010245558.tif 000008
【図７】
2010245558.tif 000009
【図８】
2010245558.tif 000010
【図９】
2010245558.tif 000011
【図１０】
2010245558.tif 000012
【図１１】
2010245558.tif 000013
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
端子を有する基板と、
前記端子に接触している導電膜、前記導電膜を表面に有する樹脂、を含むバンプ電極と、
前記バンプ電極を介して前記端子に接続している電子部品と、
前記端子及び前記導電膜が互いに接触している状態を保持する保持部と、を備え、
前記端子は、前記基板から突出しており、
前記バンプ電極は、前記端子の周辺部において前記基板に接触していることを特徴とする電気光学装置。
【請求項２】
前記端子の断面は、台形状であり、
前記バンプ電極は、前記端子の上面部全体に接触していることを特徴とする請求項１に記載の電気光学装置。
【請求項３】
前記バンプ電極は、前記端子の側面部の少なくとも一部に接触していることを特徴とする請求項２に記載の電気光学装置。
【請求項４】
前記保持部は、前記バンプ電極と前記端子との接触部分の周囲に位置する熱硬化性樹脂であることを特徴とする請求項１乃至３のいずれか一項に記載の電気光学装置。
【請求項５】
前記バンプ電極は、前記端子の周辺部において前記基板を押圧して前記基板を凹ませた状態で、前記基板に接触していることを特徴とする請求項１乃至４のいずれか一項に記載の電気光学装置。
【請求項６】
端子を有する基板と、
前記端子に接触している導電膜、前記導電膜を表面に有する樹脂、を含むバンプ電極と、
前記バンプ電極を介して前記端子に接続している電子部品と、
前記端子及び前記導電膜が互いに接触している状態を保持する保持部と、を備え、
前記端子は、前記基板から突出しており、
前記バンプ電極は、前記端子の周辺部において前記基板に接触していることを特徴とする電子モジュール。
【請求項７】
前記端子の断面は、台形状であり、
前記バンプ電極は、前記端子の上面部全体に接触していることを特徴とする請求項６に記載の電子モジュール。
【請求項８】
前記バンプ電極は、前記端子の側面部の少なくとも一部に接触していることを特徴とする請求項７に記載の電子モジュール。
【請求項９】
前記保持部は、前記バンプ電極と前記端子との接触部分の周囲に位置する熱硬化性樹脂であることを特徴とする請求項６乃至８のいずれか一項に記載の電子モジュール。
【請求項１０】
前記バンプ電極は、前記端子の周辺部において前記基板を押圧して前記基板を凹ませた状態で、前記基板に接触していることを特徴とする請求項６乃至９のいずれか一項に記載の電子モジュール。